(57)【要約】【課題】  ２分割した調理器本体の配線接続忘れを確実に防止すると共に、流し台への組み込み作業を容易にした、組込み式加熱調理器を提供する。【解決手段】  組込み式加熱調理器１は、上面に配される天板体１２と、内部に発熱体５を設けた上面開口穴９４に挿入する挿入部分３Ａとを備える上ケース組立体３と、加熱室３２を有し、挿入部分３Ａの上面からの投影領域と同じかそれより小さな外形よりなる下ケース組立体４と、下ケース組立体４と上ケース組立体３を可動可能に連結する連結具４２とにより構成され、上ケース組立体３と下ケース組立体４を上面開口穴９４より連結具４２により連結しまま収納穴部９３に収納し、天板体１２が上面開口穴９４を覆い上ケース組立体３と下ケース組立体４を支持した状態で、下ケース組立体４を前面開口穴９６側に可動させて収納穴部９３に組み込み可能なことを特徴とする。【選択図】          図１
2006292188.tif 000002
【特許請求の範囲】
【請求項１】
流し台に形成された上面開口穴と前面開口穴とを有する収納穴部に収納して組込む組込み式加熱調理器において、
上面に配される天板体と、内部に誘導コイルや抵抗コイル等よりなる発熱体を設けた前記上面開口穴に挿入する挿入部分とを備える上ケース組立体と、
加熱室を有し、前記上ケース組立体挿入部分の上面からの投影領域と同じかそれより小さな外形よりなる下ケース組立体と、
該下ケース組立体と前記上ケース組立体を可動可能に連結する連結具と、
により構成され、
前記上ケース組立体と前記下ケース組立体を前記上面開口穴より前記連結具により連結したまま前記収納穴部に収納し、前記天板体が前記上面開口穴を覆い前記上ケース組立体と前記下ケース組立体を支持した状態で、前記下ケース組立体を前記前面開口穴側に可動させて前記収納穴部に組み込み可能なことを特徴とする組込み式加熱調理器。
【請求項２】
前記上ケース組立体に対する前記下ケース組立体の移動を阻止する固定部材を、前記各ケースのいずれかないし両方に設けたことを特徴とする請求項１に記載の組込み式加熱調理器。
【請求項３】
前記上ケース組立体に設けられ、一端が前記排気口に連通する排気上風路体と、
前記下ケース組立体に設けられ、一端が前記加熱室に連通する排気下風路体とを備え、
前記排気上風路体と前記排気下風路体の他端は、前記下ケース組立体が前方に移動された状態で相互に連通することを特徴とする請求項１又は２のいずれかに記載の組込み式加熱調理器。
【請求項４】
前記排気上風路体には、前記排気口に向けて送風する送風機を設けたことを特徴とする請求項３に記載の組込み式加熱調理器。
【請求項５】
前記送風機の上流側の前記排気上風路体の一部を、前記上ケース組立体内部に連通させたことを特徴とする請求項４に記載の組込み式加熱調理器。
【請求項６】
前記排気上風路体と前記排気下風路体の各他端は、連通時において、前記加熱調理器の本体内に連通する連通隙間を形成したことを特徴とする請求項３又は４のいずれかに記載の組込み式加熱調理器。
【発明の詳細な説明】
【技術分野】
【０００１】
本発明は、流し台に組込まれると共に下部に加熱室が設けられた組込み式加熱調理器に関するものである。
【背景技術】
【０００２】
従来の加熱調理器、特に流し台の収納穴部に組込んで煮物や焼き物などの被加熱物を加熱調理する組込み式加熱調理器は、調理器本体の重量が約２０ｋｇ強もある重いものであった。この重い調理器本体を、上面に設けられた上面開口穴部と前面に設けられた前面開口穴部からなる流し台の収納穴部に作業者が１人で持ち上げ組み込んでいた。図１２は従来の加熱調理器１００である。該組込み式の加熱調理器１００を流し台１９０に組込む場合、作業者が両手で調理器本体１０２の上面に設けられた天板体１１２の両側を持って、調理器本体１０２の前部を下方に下げて斜めに傾斜させる。
【０００３】
この状態で、流し台１９０の上面開口穴１９４から収納穴部１９３内に調理器本体１０２を挿入する。次に、前面操作部が設けられた調理器本体１０２の前面下部側を、収納穴部１９３の前側に形成された前面開口穴１９６に合わせて嵌め込んだ後、調理器本体１０２の後部を下方に回動させる（図中矢印）。このようにして、流し台１９０の収納穴部１９３に調理器本体１０２を組込んでいた（特許文献１参照）。
【０００４】
しかし、流し台の収納穴部に調理器本体を挿入する際、重い調理器本体を斜めに傾斜させ、流し台の手前側から手の肘を伸ばして上面開口穴内に挿入すると共に、調理器本体の前面下部側を前面開口穴に挿入しなければならない。この場合、調理器本体を流し台の上面開口穴から収納穴部に挿入する際、調理器本体を流し台に衝突させて傷などを付けないように注意しながら挿入していた。このため、加熱調理器の組込み作業時には作業者の両手、特に調理器本体を斜めに保って流し台に挿入する為、両手首に多大な負担が加わり、極めて困難な据え付け作業となっていた。
【０００５】
そこで、上述のように調理器本体の大変な据え付け作業を解決できる、組込み式の加熱調理器が提案されている。図１３は従来の組込み式加熱調理器１００の側面図であり、この組込み式の加熱調理器１００は、調理器本体１０２を２分割して上部の上部ユニット１０３と下部の下部ユニット１０４とに分けている。そして、調理器本体１０２を流し台１９０に組み込む場合は、２分割した一方の上部ユニット１０３を、流し台１９０の上面開口穴１９４から収納穴部１９３内に挿入し、他方の下部ユニット１０４を流し台１９０の前面側から前面開口穴１９６内に挿入している。次に、下部ユニット１０４の前部が前面開口穴１９６の前面より所定寸法露出している状態で、上部ユニット１０３と下部ユニット１０４との配線接続を行うことにより、加熱調理器１０２の組込み作業を軽減していた（特許文献２参照）。
【０００６】
【特許文献１】特開平１１−１２１１５５号公報
【特許文献２】特開平６−６８９６７号公報
【発明の開示】
【発明が解決しようとする課題】
【０００７】
前述のような構成により、流し台への加熱調理器の組込み作業を軽減していたが、加熱調理器は製造時に上部ユニットと下部ユニットとを配線接続して電気的検査が行われている。しかし、２分割した一方の上部ユニットを流し台の上方から上面開口穴に挿入し、他方の下部ユニットを流し台の前面側から前面開口穴に挿入して組込む場合、製造時に接続した上部ユニットと下部ユニットとの配線接続を一旦外し、流し台に組込んだ後、再度配線接続をしなければならない。このため、上部ユニットと下部ユニットとの配線接続に煩わしさがあった。
【０００８】
また、上部ユニットと下部ユニットとに２分割した調理器本体を、それぞれ流し台に組込んでから再度配線接続する場合、上部ユニットと下部ユニットとの配線接続忘れ、或いは、中途半端な配線接続なども考えられ安全性に対する問題もあった。
【０００９】
本発明は、前記課題に鑑み為されたものであり、２分割した調理器本体の配線接続忘れを確実に防止すると共に、流し台への組込み作業を容易にした、組込み式加熱調理器を提供することを目的とする。
【課題を解決するための手段】
【００１０】
前記目的を達成するために、本発明にかかる組込み式加熱調理器は、流し台に形成された上面開口穴と前面開口穴とを有する収納穴部に収納して組込む組込み式加熱調理器において、上面に配される天板体と、内部に誘導コイルや抵抗コイル等よりなる発熱体を設けた前記上面開口穴に挿入する挿入部分とを備える上ケース組立体と、加熱室を有し、前記上ケース組立体挿入部分の上面からの投影領域と同じかそれより小さな外形よりなる下ケース組立体と、該下ケース組立体と前記上ケース組立体を可動可能に連結する連結具とにより構成され、前記上ケース組立体と前記下ケース組立体を前記上面開口穴より前記連結具により連結したまま前記収納穴部に収納し、前記天板体が前記上面開口穴を覆い前記上ケース組立体と前記下ケース組立体を支持した状態で、前記下ケース組立体を前記前面開口穴側に可動させて前記収納穴部に組み込み可能なことを特徴とする。
【発明の効果】
【００１１】
本発明の組込み式加熱調理器によれば、下ケース組立体を後退させた状態で、当該下ケース組立体は流し台の上面開口穴内に位置する上ケース組立体下方の投影領域内に位置させている。これにより、調理器本体を上面開口穴から垂下させれば流し台の収納穴部に容易に挿入することができる。また、上面開口穴内に収納した調理器本体の下ケース組立体を前方に移動すれば、下ケース組立体の前面側を流し台の前面開口穴に嵌め込むことができるので、上ケース組立体と下ケース組立体とを分離せずに流し台に調理器本体を組込むことができる。これにより、流し台の収納穴部に調理器本体を組込んだ際、上ケース組立体と下ケース組立体との配線接続を行う必要も無くより安全性を確保することが可能となる。また、調理器本体を斜めにして流し台に組込む必要がないので、両手首に負担がかからない。
【発明を実施するための最良の形態】
【００１２】
実施の形態１．
以下、本発明の一実施形態に基づき、本発明を詳しく説明する。図１は本実施形態における組込み式加熱調理器１を組み込んだ流し台９０の斜視図、図２は本実施形態における組込み式加熱調理器１を収納穴部９３に組み込む以前の流し台９０の斜視図、図３は本実施形態における上ケース組立体３より下ケース組立体４を前方に移動させた状態を示す組込み式加熱調理器１の斜視図、図４は本実施形態における調理器本体２の下ケース組立体４を後方に移動し、上ケース組立体３の真下に下ケース組立体４を位置させた状態を示す組込み式加熱調理器１の斜視図をそれぞれ示している。
【００１３】
流し台９０の上面一側には図１に示すようにシンク９２が設けられており、このシンク９２の横には所定の間隔を存して設けられた収納穴部９３（図２に図示）内に加熱調理器１が組み込まれている。該収納穴部９３は、図２に示すように流し台９０の上面側に形成された上面開口穴９４と、前面側（使用者側）に形成された前面開口穴９６とを有している。
【００１４】
一方、加熱調理器１は、図３に示すように箱状の上ケース組立体３と、これもまた箱状の下ケース組立体４とから調理器本体２を構成している。そして、上ケース組立体３は流し台９０内に設けられた収納穴部９３の上面開口穴９４に嵌め込まれ、下ケース組立体４は流し台９０の収納穴部９３の前面開口穴９６に嵌め込まれる。このとき、下ケース組立体４の前面側は、前面開口穴９６に面一、若しくは、僅かに露出、若しくは、僅かに凹陥した状態で組み込まれる。
【００１５】
調理器本体２を構成する上ケース組立体３と下ケース組立体４は、上下ケース組立体３、４の略四隅に設けられた連結具４２にて可動可能に連結されている。そして、上ケース組立体３と下ケース組立体４とが連結具４２にて連結された状態で、上ケース組立体３と下ケース組立体４とが一体に構成されると共に、下ケース組立体４は上ケース組立体３に対して前後方向に移動できるようになっている。該下ケース組立体４が前方に位置した状態で、下ケース組立体４は上ケース組立体３に対して所定寸法前方まで移動できるようになっている（図３矢印Ｌ）。
【００１６】
即ち、調理器本体２を上ケース組立体３と下ケース組立体４に２分割して、この両者を連結具４２にて一体に構成すると共に、上ケース組立体３に対して下ケース組立体４を可動自在に連結している。そして、上ケース組立体３の上面に設けられた天板体１２の略中央両側を持ち、流し台９０の真上より調理器本体２を収納穴部９３に挿入し、下ケース組立体４を前面開口穴９６側に引っ張って移動すれば、調理器本体２を流し台９０に組み込むことができるようになっている。尚、連結具４２については後で詳しく説明する。
【００１７】
本実施形態における加熱調理器１は、下ケース組立体４を後方に移動させた状態で、上ケース組立体３の略真下に下ケース組立体４が位置するようになっている（図４）。即ち、下ケース組立体４は上ケース組立体３同等、若しくは、それよりも小さく形成している。詳しくは、上ケース組立体３と下ケース組立体４とは連結具４２にて移動自在に連結しており、下ケース組立体４を後方に移動させた状態で、下ケース組立体４は上ケース組立体３が下方に投影する上ケース組立体３の投影範囲から前後方向にはみ出さない領域内に入る大きさを呈している。
【００１８】
係る下ケース組立体４を後部側に移動させ、上ケース組立体３の略真下に下ケース組立体４を位置させた状態では、調理器本体２を流し台９０の上面開口穴９４から収納穴部９３内に挿入できるようになっている。これにより、流し台９０に組み込んだ加熱調理器１のサービスやメンテナンス時に下ケース組立体４を押して後退させ、上ケース組立体３下方の領域内に下ケース組立体４を位置させれば、調理器本体２を上に持ち上げるだけで、簡単に調理器本体２を流し台９０の収納穴部９３から外すことができる。
【００１９】
このように、上ケース組立体３と下ケース組立体４とを連結具４２で移動自在に連結しているので、上ケース組立体３下方の上ケース組立体３領域内に下ケース組立体４を配置することができる。これにより、調理器本体２を流し台９０の収納穴部９３に真上から挿入することができる。
【００２０】
また、流し台９０の収納穴部９３に収納した調理器本体２を真上に持ち上げるだけで、調理器本体２を収納穴部９３から簡単に外すことができる。これにより、流し台９０の収納穴部９３へ、加熱調理器１の組込み、及び、取り外しなどの作業性を大幅に向上させることができる。また、調理器本体２を真っ直ぐ上に持ち上げることができるので、両手首に無理な力が加わることも無くなる。これにより、流し台９０の収納穴部９３に調理器本体２を組込むときや取り外すときに、手首を痛めたり調理器本体２を流し台９０に衝突させて傷を付けてしまうような不都合を未然に防止することができる。
【００２１】
次に、図５に本実施形態における組込み式加熱調理器１の組立分解斜視図を示している。本実施例では前記上ケース組立体３を、箱状に形成された上ケース３Ａと、この上ケース３Ａの上面に設けられた天板体１２とから構成している。天板体１２は、例えば耐熱ガラスの如き非磁性材からなる平板状の天板１４と、この天板１４周囲に配設された枠体１６にて構成されている。
【００２２】
上面開口穴９４への挿入組込部分である上ケース３Ａは、流し台９０の上面開口穴９４内に挿入可能な大きさに形成されている。天板体１２は、上ケース３Ａより僅かに大きく形成されると共に、上面開口穴９４よりも僅かに大きく形成されている。そして、調理器本体２を流し台９０に組込む際、上ケース組立体３の上ケース３Ａが上面開口穴９４内から収納穴部９３内に挿入され、天板体１２は、上面開口穴９４周囲に引っかかって収納穴部９３内に上ケース組立体３が落下しないようになっている。
【００２３】
天板１４の下面側（上ケース組立体３内）には、略密着して渦巻状に巻かれた抵抗コイル６や、誘導コイル７（電磁誘導加熱コイル）等からなる複数の発熱体５が配設されている。該天板１４上面には、当該天板１４上面に鍋やフライパンなどの調理器を正確に載置できるように、各発熱体５に対応してそれぞれ略円形のサークルライン８が印刷されている。
【００２４】
各サークルライン８の前部（使用者側）には火力表示部８Ａが設けられており、この火力表示部８Ａには天板１４上面に載置された被加熱物への加熱出力の状況が表示される。なおこの火力表示部８Ａに、被加熱物の温度や調理時間なども表示されるように構成しても良い。また、上ケース組立体３の前部（枠体１６の前部）には、タイマー設定や抵抗コイル６、及び、誘導コイル７などの加熱量を操作する複数の操作ボタンを備えた天面操作部１８が設けられている。この天面操作部１８は各発熱体５に対応して設けられると共に、枠体１６の幅方向一側から他側に渡って設けられている。
【００２５】
上ケース組立体３内には箱体にて形成された制御基板室２０が設けられており、この制御基板室２０には基板に電源部や様々な電子素子、或いはマイコン等が取り付けられた制御装置（図示せず）が設けられている。そして、制御装置は、天面操作部１８の操作ボタンが操作され、抵抗コイル６、及び、誘導コイル７に商用交流電源が通電されると、操作内容に従って各発熱体５の加熱／停止などの出力制御、或いは、タイマー制御などを行い、被加熱物の加熱制御を行う。尚、組込み式加熱調理器１には１００Ｖ〜２００Ｖの商用交流電源が通電されている。
【００２６】
上ケース組立体３の後部（枠体１６の後部）には、排気口１０が設けられている。この排気口１０は、調理器本体２内の加熱された空気、及び、加熱室３２（図５に図示）内で肉や魚などの被加熱物を加熱調理する際、それらから発生した煙や蒸気、或いは、臭いなどを調理器本体２の外部に排出できるようになっている。また、上ケース組立体３内には筒状に形成され、所定の風量を通過可能な排気上風路体２４が設けられている。
【００２７】
排気上風路体２４の一端は、排気口１０に連通し、排気上風路体２４の他端は上ケース組立体３の後部より所定寸法前側に位置して下方（下ケース組立体４側）に開口している。排気上風路体２４には、当該排気上風路体２４の他端側（上流側）から空気を吸い込んで一端側（下流側）に向けて送風し、排気口１０から排出する送風機２２が設けられている。
【００２８】
また、下ケース組立体４は箱状の下ケース４Ａを有しており、その内部には加熱室３２が設けられると共に、前面には前面操作部１９が設けられている。該加熱室３２は、下ケース組立体４の左側、前面操作部１９は加熱室３２の横（実施例では加熱室３２の右側）に設けられている。この前面操作部１９は、下ケース組立体４の前面に設けられ、天面操作部１８と同様に複数の操作ボタンや電源スイッチなどが設けられている。また、前面操作部１９は、天面操作部１８同様発熱体５の加熱量やタイマー操作などができるようになっている。
【００２９】
加熱室３２には、前方側（使用者）から出し入れ自在の引き出し３４が設けられており、内部には電気抵抗体からなる加熱体４０が設けられている。また、引き出し３４は、加熱室３２の前面開口を閉塞自在に閉塞するドア３６と、被加熱物を載置するトレー３８とから構成されている。そして、加熱体４０に商用交流電源が通電されて発熱することにより、加熱室３２内に挿入された被加熱物の加熱調理が行われる。尚、３６Ａは、引き出し３４を加熱室３２に出し入れするための取っ手で、この取っ手３６Ａはドア３６に取り付けられている。
【００３０】
また、下ケース組立体４内にも制御基板室２０同様の箱体にて形成された制御基板室２０Ａ（図５に図示）が設けられている。この制御基板室２０Ａも基板に電源部や様々な電子素子、或いはマイコン等が取り付けられた制御装置が（図示せず）が設けられている。制御装置は、前面操作部１９の操作ボタンが操作され、抵抗コイル６、及び、誘導コイル７に商用交流電源が通電されると、操作内容に従って各発熱体５の加熱／停止などの出力制御、或いは、タイマー制御等を行い、被加熱物の加熱制御を行う。尚、制御基板室２０、２０Ａはどちらか一方だけであっても差し支えない。この場合、天面操作部１８と前面操作部１９とを連動して操作できるようにしておけば良い。
【００３１】
また、下ケース組立体４内の加熱室３２後部には筒状の排気下風路体２８が設けられており、この排気下風路体２８は前記排気上風路体２４と略同等の風量が通過可能になっている。該排気下風路体２８の一端は、前方の加熱室３２に連通し、他端は下ケース組立体４の後部に位置して上方（上ケース組立体３側）に開口している。
【００３２】
そして、排気下風路体２８の他端と前記排気上風路体２４の他端は、下ケース組立体４が前方に移動された状態で相互に当接して連通するようになっている。これら排気下風路体２８の他端開口と排気上風路体２４の他端開口は、上下共水平に開口、若しくは斜めに開口し、下ケース組立体４が前方に移動したとき相互に連通するようになっている。これによって、加熱室３２内は排気下風路体２８、排気上風路体２４、排気口１０を介して調理器本体２の外部に連通するようになっている。即ち、送風機２２が運転されると、加熱室３２の被加熱物から発生した煙や蒸気或いは臭いなどは、排気下風路体２８、及び、排気上風路体２４を介して排気口１０から調理器本体２の外部に排出されるようになっている。
【００３３】
また、図６は調理器本体２を流し台９０の収納穴部９３に収納した状態を示す組込み式加熱調理器１の縦断側面図、図７は調理器本体２の下ケース組立体４を流し台９０の前面開口穴９６に嵌め込んだ状態を示す組込み式加熱調理器１の縦断側面図を示している。いずれも、引き出し３４は加熱室３２から外した状態を示している。係る下ケース組立体４が前方に移動され、排気上風路体２４と排気下風路体２８の他端が相互に連通した状態で、図７に示すように排気上風路体２４と排気下風路体２８との当接箇所に所定の間隔の連通隙間２６が設けられている。この連通隙間２６によって、排気上風路体２４及び排気下風路体２８と、上ケース組立体３内及び下ケース組立体４内とが連通するようになっている。また、排気上風路体２４は制御基板室２０に、排気下風路体２８は制御基板室２０Ａにそれぞれ連通路（図示せず）にて接続されている。
【００３４】
そして、前述した如き下ケース組立体４を上ケース組立体３の真下に位置させた状態で、流し台９０の上面開口穴９４から収納穴部９３に調理器本体２を挿入する。これによって、調理器本体２は上ケース組立体３に設けた枠体１６によって吊り下げられる。このときは、未だ上ケース組立体３に設けた排気上風路体２４の他端と、下ケース組立体４に設けた排気下風路体２８の他端は連通していない。
【００３５】
次に、加熱室３２の前方開口縁部等を持ち、下ケース組立体４を収納穴部９３の前部（前面開口穴９６側）に移動し、下ケース組立体４の前面を前面開口穴９６に面一、若しくは、僅かに露出、若しくは、僅かに凹陥した状態に設置する。即ち、下ケース組立体４の前面を前面開口穴９６の所定位置まで移動すると、排気上風路体２４と排気下風路体２８の他端が連通し、加熱室３２と調理器本体２の外部が連通する。なお、引き出し３４は調理器本体２を流し台９０に組み込んだ後に、加熱室３２に取り付けているが、最初から取り付けておいても良い。
【００３６】
そして、送風機２２が運転されると、加熱室３２内の加熱された空気、及び被加熱物から発生した煙や蒸気或いは臭いなどが排気口１０から調理器本体２の外部に排出される。また、上ケース組立体３や下ケース組立体４内及び制御基板室２０、２０Ａ内の加熱された空気が排気口１０から調理器本体２の外部に排出される。尚、排気上風路体２４の下流側には図示しないが脱煙機能や消臭機能を有する脱煙触媒と触媒加熱ヒータ及び脱煙ファンなどを備えた脱煙装置が設置されており、排気口１０からはクリーンな空気が排気されるようになっている。
【００３７】
ここで、従来加熱室３２で焼いた肉や魚から出た煙や蒸気或いは臭いなどは、排気風路を介して排気口より排出していたが、本実施例では排気通路を、上ケース組立体３に設けた排気上風路体２４と下ケース組立体４に設けた排気下風路体２８とに分割している。そして、下ケース組立体４の移動に連動して、排気下風路体２８を排気上風路体２４に連通するようにしている。これにより、調理器本体２を上ケース組立体３と下ケース組立体４とに分割しても、加熱室３２から調理器本体２の外部へ容易に排気風路を連通させることができる。従って、加熱室３２の煙や蒸気或いは臭いなどを確実に排気口１０より外部に排出することができる。
【００３８】
また、排気口１０に向けて送風する送風機２２を排気上風路体２４に設けているので、加熱室３２で発生した煙や蒸気或いは臭いなどを確実に調理器本体２の外部に排出することができる。更に、排気上風路体２４及び排気下風路体２８を制御基板室２０、２０Ａ及び上下ケース組立体３、４内に連通しているので、制御基板室２０、２０Ａ及び上下ケース組立体３、４内を冷却することができ便利である。
【００３９】
尚、排気上風路体２４に上ケース組立体３内に連通する吸気穴２４Ａ、及び、排気下風路体２８に下ケース組立体４に連通する吸気穴２８Ａを設けている。そして、これらの吸気穴２４Ａ、２８Ａから下ケース組立体４内及び上ケース組立体３内の加熱された空気を、上下風路体２４、２８から調理器本体２外に排出して冷却するようにしても差し支えない。また、制御基板室２０、２０Ａを設けず、該制御基板室２０、２０Ａ内に設けた電子部品より形成された制御基板よりなる制御体を直接上ケース組立体３、下ケース組立体４内に設けても差し支えない。
【００４０】
一方、図８に組込み式加熱調理器１の上ケース組立体３と下ケース組立体４とを可動可能に連結する連結具４２を示している。前記連結具４２は、上ケース組立体３の下面四隅に溶接或いはカシメなどにて固定される上レール４４と、下ケース組立体４の上面四隅に溶接或いはカシメなどにて固定される下レール４６とから構成している。両レール４４、４６は、所定の厚さの金属板にて階段形状に形成されている。即ち、上レール４４は、上ケース組立体３の両側下面に固定される上固定片４４Ａと、この上固定片４４Ａと平行に設けられた上スライド片４４Ｂとから構成されている。上スライド片４４Ｂは、上段差部４４Ｃを介して上固定片４４Ａより所定寸法下方に位置している。係る上固定片４４Ａは、調理器本体２の前面側から見て上ケース組立体３の両側下面に固定され、上スライド片４４Ｂは、上固定片４４Ａから下方に所定寸法延在する上段差部４４Ｃを介して内側に延在している。
【００４１】
また、下レール４６は、調理器本体２の前面側から見て、下ケース組立体４の両側上面に固定される下固定片４６Ａと、この下固定片４６Ａと平行に設けられた下スライド片４６Ｂとから構成されている。下スライド片４６Ｂは、下段差部４６Ｃを介して下固定片４６Ａより所定寸法上方に位置している。係る下固定片４６Ａは、調理器本体２の前面側から見て下ケース組立体３の両側上面に固定され、下スライド片４６Ｂは、下固定片４６Ａから上方に所定寸法延在する下段差部４６Ｃを介して外側に延在している。
【００４２】
また、図９は連結具４２で連結した調理器本体２の要部拡大図、図１０は連結状態を示す連結具４２の側面図である。このように、形成された連結具４２は、上ケース組立体３に固定された各上レール４４の上スライド片４４Ｂ上に、下ケース組立体４に固定された各下レール４６の下スライド片４６Ｂが可動自在に載置される。即ち、調理器本体２は、連結具４２にて下ケース組立体４が上ケース組立体３に吊り下げられた状態で、下ケース組立体４が前後方向に移動可能になっている。
【００４３】
尚、上ケース組立体３（上ケース３Ａ）の下面に切り込みを入れ、この切り込みを階段形状に下方に折曲して上スライド片４４Ｂ同様の上スライド片を形成する。また、下ケース組立体４（下ケース４Ａ）の上面に切り込みを入れ、この切り込みを階段形状に上方に折曲して、下レール４６の下スライド片４６Ｂ同様の下レールを形成した連結具を設けても差し支えない。これにより、連結具４２を格別に設ける必要が無くなるので、加熱調理器１のコストを低減させることができ便利である。
【００４４】
本実施形態における連結具４２には固定部４８（本発明の固定部材に相当）を設けている。この固定部４８は、各上レール４４の上スライド片４４Ｂから上ケース組立体３側に所定寸法突出して設けられた突起４８Ａと、下レール４６の下スライド片４６Ｂに貫通して設けられた穴部４８Ｂとから構成されている（図８に図示）。該突起４８Ａは半球形状に形成され、穴部４８Ｂ内に嵌合可能になっている。尚、固定部４８は上スライド片４４Ｂに突出する突起４８Ａを設け、下スライド片４６Ｂに貫通する穴部４８Ｂを設けているが、固定部４８は上スライド片４４Ｂに貫通する穴部を設けると共に、下スライド片４６Ｂに突出する突起を設けても良い。
【００４５】
そして、調理器本体２は、固定部４８の上ケース組立体３が流し台９０の上面開口穴９４に嵌め込まれ、下ケース組立体４が流し台９０の前面開口穴９６に嵌め込まれた状態で、穴部４８Ｂは突起４８Ａ内に嵌合する（図１０に図示）。これによって、固定部４８はロックされ、上ケース組立体３に対して下ケース組立体４が前後方向に移動してしまうのを防止している。尚、図１０矢印Ｌは、下ケース組立体４が後方に位置している状態から、下ケース組立体４を前方に移動させて、穴部４８Ｂに突起４８Ａが嵌合するまでの寸法（図３の矢印Ｌと同じ）を示している。
【００４６】
即ち、前述した如き流し台９０の収納穴部９３内に収納した下ケース組立体４を所定寸法前部側に可動させると、突起４８Ａが穴部４８Ｂに嵌合する。これにより、固定部４８が固定されて、上ケース組立体３と下ケース組立体４とが前後方向に移動してしまうのを防止することができる。従って、引き出し３４を加熱室３２に出し入れしたり、前面操作部１９に設けられた操作ボタンや電源スイッチなどの操作などの軽い力では、穴部４８Ｂは突起４８Ａから脱出することないので便利である。
【００４７】
本実施形態における固定部４８は、穴部４８Ｂを半球形状に形成しているので、穴部４８Ｂが突起４８Ａ内に嵌合してロックしている状態で、下レール４６が固定された下ケース組立体４を後部方向に強く押せば穴部４８Ｂは突起４８Ａから脱出させることができるようになっている。
【００４８】
そして、加熱調理器１の修理やメンテナンス時には下ケース組立体４を後部方向に強く押してロックしている突起４８Ａと穴部４８Ｂとを離脱させ、下ケース組立体４を上ケース組立体３の真下に移動させる。この状態で、調理器本体２を持ち上げれば、流し台９０の収納穴部９３から容易に調理器本体２を取り出すことができる。これにより、調理器本体２の修理や、メンテナンスを容易に行うことができる。尚、図３、図４では引き出し３４の取っ手３６Ａを下ケース組立体４より前方に突出させた状態で図示しているが、引き出し３４は調理器本体２が流し台９０に組み込まれた後、加熱室３２に挿入されるので、取っ手３６Ａが下ケース組立体４より前方に突出していても何ら問題はない。
【００４９】
実施の形態２．
本実施形態における組込み式加熱調理器１は、前述の実施形態と略同じ構成を有している。以下、異なる部分について説明する。尚、前述の実施の形態と同じ部分にはこれと同じ符号を付し、説明を省略する。図１１は、本発明の他の一実施形態の組込み式加熱調理器１の固定部材４９を示している。調理器本体２は、連結具４２によって下ケース組立体４が前後方向に移動するのを阻止するための固定部材４９を設けている。固定部材４９は図１１に示すように、上ケース組立体３に取り付けられ、上下動自在な固定板５０と、この固定板５０を動作させるツマミ５４とから構成されている。
【００５０】
固定板５０は、金属板或いは合成樹脂板にて構成され、上ケース組立体３の下部近傍に設けられている。ツマミ５４は上ケース組立体３の前面側に位置して固定板５０に取り付けられている。固定板５０には、上ケース３Ａに設けられた移動穴５１を貫通して折れ曲がり、下方に延在する可動片５２Ａが設けられている。可動片５２Ａの下端は、上ケース３Ａ底面に形成された貫通穴５２を貫通して所定寸法下方に突出している。
【００５１】
そして、上ケース３Ａ下面の貫通穴５２を貫通して下方に所定寸法突出している可動片５２Ａの下端は、ツマミ５４を上方に動作させ固定板５０を上昇させることにより上昇して上ケース３Ａの下面と略面一になる。また、ツマミ５４を離すと固定板５０は自重で落下し、可動片５２Ａ下端は下ケース４Ａに設けられた貫通穴５２より所定寸法下方に突出する。
【００５２】
また、下ケース４Ａの上面には下方に凹陥した固定穴５６が設けられており、この固定穴５６は固定板５０の可動片５２Ａ下端を挿入可能な大きさを呈している。該固定穴５６は、上ケース組立体３が流し台９０の上面開口穴９４に嵌め込まれ、下ケース組立体４を前方に引き出して、加熱調理器１が流し台９０の収納穴部９３に組込まれた状態で、固定板５０の可動片５２Ａ下端を挿入できる位置に設けられている。尚、下ケース４Ａの上面を下方に凹陥することにより固定穴５６を形成したが、固定穴５６は下ケース４Ａの上面を凹陥させず、固定板５０の可動片５２Ａ下端を挿入できれば貫通穴であっても差し支えない。
【００５３】
即ち、固定部材４９は、下ケース組立体４を流し台９０の前面開口穴９６に向かって引き出し、下ケース組立体４を前部方向所定位置まで移動して流し台９０の収納穴部９３に組込んだ状態で、上ケース組立体３と下ケース組立体４が前後方向に容易に移動せずに固定できるようになっている。尚、ツマミ５４は上ケース組立体３が流し台９０の上面開口穴９４に嵌め込まれた状態でも、流し台９０の前面側から操作できるようになっている。
【００５４】
係る、加熱調理器１の修理や、メンテナンス時は、ツマミ５４を上に上げれば固定板５０（可動片５２Ａ）を固定穴５６から外すことができる。そして、下ケース組立体４を上ケース組立体３の真下に移動し、流し台９０の収納穴部９３から調理器本体２を持ち上げて取り出せば、修理や、メンテナンスを行うことができる。
【００５５】
このように、流し台９０の収納穴部９３に収納した下ケース組立体４を、収納穴部９３の前面開口穴９６側に移動するだけで、固定板５０の可動片５２Ａを固定穴５６に挿入することができる。これにより、上ケース組立体３と下ケース組立体４とが固定され、前後方向に移動してしまうのを防止することができる。従って、加熱室３２内に挿入した引き出し３４或いは前面操作部１９の操作ボタンの操作時などに、下ケース組立体４が前面開口穴９６の後部側に移動してしまうなどの不都合を防止することができる。
【００５６】
また、加熱調理器１のサービスやメンテナンス時などに、流し台９０から調理器本体２を外す際、ツマミ５４を操作して固定板５０を持ち上げれば、可動片５２Ａを固定穴５６から離脱させることができる。そして、下ケース組立体４を流し台９０の後部方向に移動させた後、枠体１６を手で持って上ケース組立体３を持ち上げれば、流し台９０から調理器本体２を簡単に外すことができる。これにより、加熱調理器１のサービスやメンテナンスなどを容易に行うことができて便利である。
【００５７】
尚、本実施形態においては、排気口１０を天板体１２に設けたが、排気口１０は天板体１２に限られず、上ケース組立体３に設けても差し支えない。また、排気口１０を上ケース組立体３及び下ケース組立体４の双方にそれぞれ設けても差し支えない。この場合、上ケース組立体３或いは下ケース組立体４に設けた排気口に連通する排気上風路体２４、及び、排気下風路体２８にそれぞれ送風機を設ければ良い。
【図面の簡単な説明】
【００５８】
【図１】本実施形態における組込み式加熱調理器を組み込んだ流し台の斜視図である。
【図２】本実施形態における組込み式加熱調理器を収納穴部に組み込む以前の流し台の斜視図である。
【図３】本実施形態における上ケース組立体より下ケース組立体を前方に移動させた状態を示す組込み式加熱調理器の斜視図である。
【図４】本実施形態における調理器本体の下ケース組立体を後方に移動し、上ケース組立体の真下に下ケース組立体を位置させた状態を示す組込み式加熱調理器の斜視図である。
【図５】本実施形態における組込み式加熱調理器の組立分解斜視図である。
【図６】本実施形態における調理器本体を流し台の収納穴部に収納した状態を示す組込み式加熱調理器の縦断側面図である。
【図７】本実施形態における調理器本体の下ケース組立体を流し台の前面開口穴に嵌め込んだ状態を示す組込み式加熱調理器の縦断側面図である。
【図８】本実施形態における組込み式加熱調理器の上ケース組立体と下ケース組立体とを可動可能に連結する連結具の斜視図である。
【図９】連結具で連結した調理器本体（一部）の要部拡大図である。
【図１０】連結状態を示す連結具の側面図である。
【図１１】本実施形態における組込み式加熱調理器を構成する上ケース組立体と下ケース組立体とを固定する固定部材の斜視図である。
【図１２】調理器本体を流し台に組み込む状態を示す従来の組込み式加熱調理器の側面図である。
【図１３】調理器本体を流し台に組み込む状態を示す従来の組込み式加熱調理器の側面図である。
【符号の説明】
【００５９】
１  加熱調理器、２  調理器本体、３  上ケース組立体、３Ａ  上ケース、４  下ケース組立体、４Ａ  下ケース、５  発熱体、６  抵抗コイル、７  誘導コイル、８  サークルライン、８Ａ  火力表示部、１０  排気口、１２  天板体、１４  天板、１６  枠体、１８  天面操作部、１９  前面操作部、２０  制御基板室、２０Ａ  制御基板室、２２  送風機、２４  排気上風路体、２４Ａ  吸気穴、２６  連通隙間、２８  排気下風路体、２８Ａ  吸気穴、３２  加熱室、３４  引き出し、３６  ドア、３６Ａ  取っ手、３８  トレー、４０  加熱体、４２  連結具、４４  上レール、４４Ａ  上固定片、４４Ｂ  上スライド片、４４Ｃ  上段差部、４６  下レール、４６Ａ  下固定片、４６Ｂ  下スライド片、４６Ｃ  下段差部、４８  固定部、４８Ａ  突起、４８Ｂ  穴部、４９  固定部材、５０  固定板、５１  移動穴、５２  貫通穴、５２Ａ  可動片、５４  ツマミ、５６  固定穴、９０  流し台、９２  シンク、９３  収納穴部、９４  上面開口穴、９６  前面開口穴。
【図１】
2006292188.tif 000003
【図２】
2006292188.tif 000004
【図３】
2006292188.tif 000005
【図４】
2006292188.tif 000006
【図５】
2006292188.tif 000007
【図６】
2006292188.tif 000008
【図７】
2006292188.tif 000009
【図８】
2006292188.tif 000010
【図９】
2006292188.tif 000011
【図１０】
2006292188.tif 000012
【図１１】
2006292188.tif 000013
【図１２】
2006292188.tif 000014
【図１３】
2006292188.tif 000015